(57)【要約】【課題】記録材上に形成された画像において、第１の領域と第２の領域との光沢度差を制御する。【解決手段】画像形成装置１００の画像形成モードが、カラートナー像、又は、カラートナー像及びクリアトナー像を用紙に定着させることにより画像を形成する「４色モード」または「５色モード」であるか、カラートナー像が定着された用紙にクリアトナー像を定着させることにより画像を形成する「追い刷りモード」であるかを取得する画像形成モード取得部２１１と、画像形成装置１００の画像形成モードが「追い刷りモード」である場合、クリアトナー像を用紙に定着させる定着温度が、「４色モード」においてカラートナー像を用紙に定着させる定着温度よりも低くなるよう定着温度を制御する定着温度制御部２１５と、を備える。【選択図】図１
2012037618.tif 000002
【特許請求の範囲】
【請求項１】
画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する画像形成モード取得部と、
前記画像形成装置の画像形成モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御部と、
を備えることを特徴とする制御装置。
【請求項２】
前記透明トナーの現像量を制御する透明トナー現像量制御部を備え、
前記記録材上に形成を要求された透明トナー層の厚みがしきい値以上の場合、前記透明トナー現像量制御部は、透明トナー層の厚みが前記しきい値未満の場合の前記透明トナーの現像量よりも、前記透明トナーの現像量を増加させることを特徴とする請求項１に記載の制御装置。
【請求項３】
前記定着温度制御部は、要求される、有色トナー像が定着された記録材上に前記透明トナー像が定着された領域と前記透明トナー像が定着されていない領域との光沢度の差に基づいて、前記定着温度を変化させることを特徴とする請求項１又は２に記載の制御装置。
【請求項４】
前記有色トナーの融点と、前記透明トナーの融点とが同一であることを特徴とする請求項１から３のいずれか１項記載の制御装置。
【請求項５】
記録材に転写されたトナー像を、前記記録材上に定着させる定着部と、
画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する画像形成モード取得部と、
前記画像形成装置の動作モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御部と、
を備えることを特徴とする画像形成装置。
【請求項６】
前記透明トナーの現像量を制御するクリアトナー現像量制御部を備え、
前記記録材上に形成を要求された透明トナー層の厚みがしきい値以上の場合、前記透明トナー現像量制御部は、透明トナー層の厚みが前記しきい値未満の場合の前記透明トナーの現像量よりも、前記透明トナーの現像量を増加させることを特徴とする請求項５に記載の画像形成装置。
【請求項７】
前記定着温度制御部は、要求される、有色トナー像が定着された記録材上に前記透明トナー像が定着された領域と前記透明トナー像が定着されていない領域との光沢度の差に基づいて、前記定着温度を変化させることを特徴とする請求項５又は６に記載の画像形成装置。
【請求項８】
前記有色トナーの融点と、前記透明トナーの融点とが同一であることを特徴とする請求項５から７のいずれか１項記載の画像形成装置。
【請求項９】
画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する取得ステップと、
前記画像形成装置の画像形成モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御ステップと、
をコンピュータに実行させる制御プログラム。
【発明の詳細な説明】
【技術分野】
【０００１】
本発明は、制御装置、画像形成装置および制御プログラムに関する。
【背景技術】
【０００２】
近年、イエロー、マゼンタ、シアン、ブラック等の有色トナー（カラートナー）とともに、透明トナー（クリアトナー）を用いることにより、透明トナーによる透かしを入れたり、カラー画像に部分的に光沢性を付与した画像等を形成する画像形成装置が提案されている。
【０００３】
特許文献１には、有色トナーの融点と、透明トナーの融点との温度が異なることにより、一枚の画像形成上で所望の領域の光沢性が異なるカラー画像を形成する技術が記載されている。
【０００４】
特許文献２には、粒状性、色再現性、耐オフセット性を損なうことなく高い光沢度の画像を得るために、透明トナーの現像量を転写材の表面粗さに基づいて変化させる技術が記載されている。
【先行技術文献】
【特許文献】
【０００５】
【特許文献１】特開平８−２２０８２１号公報
【特許文献２】特開平１１−７１７４号公報
【発明の概要】
【発明が解決しようとする課題】
【０００６】
本発明は、本発明の構成を有していない場合と比較して、透明トナー像が定着された領域と透明トナー像が定着されていない領域との光沢度差が大きい画像を記録材上に形成する制御装置、画像形成装置および制御プログラムを提供することを目的とする。
【課題を解決するための手段】
【０００７】
請求項１に記載の制御装置は、画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する画像形成モード取得部と、前記画像形成装置の画像形成モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御部と、を備える。
【０００８】
請求項２に記載の制御装置は、請求項１に記載の制御装置において、前記透明トナーの現像量を制御する透明トナー現像量制御部を備え、前記記録材上に形成を要求された透明トナー層の厚みがしきい値以上の場合、前記透明トナー現像量制御部は、透明トナー層の厚みが前記しきい値未満の場合の前記透明トナーの現像量よりも、前記透明トナーの現像量を増加させることを特徴とする。
【０００９】
請求項３に記載の制御装置は、請求項１又は２に記載の制御装置において、前記定着温度制御部は、要求される、有色トナー像が定着された記録材上に前記透明トナー像が定着された領域と前記透明トナー像が定着されていない領域との光沢度の差に基づいて、前記定着温度を変化させることを特徴とする。
【００１０】
請求項４に記載の制御装置は、請求項１から３のいずれか１項記載の制御装置において、前記有色トナーの融点と、前記透明トナーの融点とが同一であることを特徴とする。
【００１１】
請求項５に記載の画像形成装置は、記録材に転写されたトナー像を、前記記録材上に定着させる定着部と、画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する画像形成モード取得部と、前記画像形成装置の動作モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御部と、を備える。
【００１２】
請求項６に記載の画像形成装置は、請求項５に記載の画像形成装置において、前記透明トナーの現像量を制御するクリアトナー現像量制御部を備え、前記記録材上に形成を要求された透明トナー層の厚みがしきい値以上の場合、前記透明トナー現像量制御部は、透明トナー層の厚みが前記しきい値未満の場合の前記透明トナーの現像量よりも、前記透明トナーの現像量を増加させることを特徴とする。
【００１３】
請求項７に記載の画像形成装置は、請求項５又は６に記載の画像形成装置において、前記定着温度制御部は、要求される、有色トナー像が定着された記録材上に前記透明トナー像が定着された領域と前記透明トナー像が定着されていない領域との光沢度の差に基づいて、前記定着温度を変化させることを特徴とする。
【００１４】
請求項８に記載の画像形成装置は、請求項５から７のいずれか１項記載の画像形成装置において、前記有色トナーの融点と、前記透明トナーの融点とが同一であることを特徴とする。
【００１５】
請求項９に記載の制御プログラムは、画像形成装置の画像形成モードが、有色トナー像、又は、有色トナー像及び透明トナー像を記録材に定着させることにより画像を形成する第１の画像形成モードであるか、有色トナー像が定着された記録材に透明トナー像を定着させることにより画像を形成する第２の画像形成モードであるかを取得する取得ステップと、前記画像形成装置の画像形成モードが第２の画像形成モードである場合、前記透明トナー像を前記記録材に定着させる定着温度が、前記第１の画像形成モードにおいて有色トナー像、又は、有色トナー像及び透明トナー像を記録材に定着させる定着温度よりも低くなるよう定着温度を制御する定着温度制御ステップと、をコンピュータに実行させる。
【発明の効果】
【００１６】
請求項１に記載の制御装置によれば、第２の画像形成モードにて画像形成を行う場合に、本発明の構成を有していない場合と比較して、透明トナー像が定着された領域と透明トナー像が定着されていない領域との光沢度差が大きい画像が記録材上に形成される。
【００１７】
請求項２に記載の制御装置によれば、本構成を有していない場合と比較して画像形成に係る生産性が向上する。
【００１８】
請求項３に記載の制御装置によれば、記録材上に形成された画像において、第１の領域と第２の領域との光沢度差が制御される。
【００１９】
請求項４に記載の制御装置によれば、第２の画像形成モードにて画像形成を行う場合に、本発明の構成を有していない場合と比較して、透明トナー像が定着された領域と透明トナー像が定着されていない領域との光沢度差が大きい画像が記録材上に形成されるとともに、有色トナー及び透明トナーを用いて画像形成を行う場合には、光沢度が均一の画像が形成される。
【００２０】
請求項５に記載の画像形成装置によれば、第２の画像形成モードにて画像形成を行う場合に、本発明の構成を有していない場合と比較して、透明トナー像が定着された領域と透明トナー像が定着されていない領域との光沢度差が大きい画像が記録材上に形成される。
【００２１】
請求項６に記載の画像形成装置によれば、本構成を有していない場合と比較して画像形成に係る生産性が向上する。
【００２２】
請求項７に記載の画像形成装置によれば、記録材上に形成された画像において、透明トナー像が定着された領域と透明トナー像が定着されていない領域との光沢度差が制御される。
【００２３】
請求項８に記載の画像形成装置によれば、第２の画像形成モードにて画像形成を行う場合に、本発明の構成を有していない場合と比較して、透明トナー像が定着された領域と透明トナー像が定着されていない領域との光沢度差が大きい画像が記録材上に形成されるとともに、有色トナー及び透明トナーを用いて画像形成を行う場合には、光沢度が均一の画像が形成される。
【００２４】
請求項９に記載の制御プログラムによれば、第２の画像形成モードにて画像形成を行う場合に、本発明の構成を有していない場合と比較して、透明トナー像が定着された領域と透明トナー像が定着されていない領域との光沢度差が大きい画像が記録材上に形成される。
【図面の簡単な説明】
【００２５】
【図１】本発明が適用される画像形成装置のシステム構成の一例を示す図である。
【図２】操作・表示部に表示される画面の一例を示す図である。
【図３】制御装置のハードウェア構成の一例を示す図である。
【図４】クリアトナーを塗布した領域及びクリアトナーを塗布していない領域の概要を表す図である。
【図５】用紙種別及び用紙坪量ごとに、追い刷りモードにおいてクリアトナーの定着温度を変えた場合の、光沢度の変化を示すグラフである。
【図６】用紙種別及び画像形成モードと定着温度との関係の一例と、用紙種別及びテクスチャの有無とクリアトナー現像量との関係の一例を示す図である。
【図７】画像形成装置の実行する処理の一例を示すフローチャートである。
【図８】画像形成装置の実行する処理の一例を示すフローチャートである。
【図９】画像形成装置のシステム構成の別例を示す図である。
【発明を実施するための形態】
【００２６】
以下、本発明の実施形態について、添付図面を参照しつつ説明する。
【００２７】
図１は、本発明が適用される画像形成装置のシステム構成の一例を示す図である。画像形成装置１００は、操作・表示部１０、制御装置２０及び画像出力装置３０を備える。
【００２８】
操作・表示部１０は、ユーザ設定受付部１１を備え、ユーザから画像形成モード、用紙種別及び用紙坪量等の入力を受付ける。操作・表示部１０は、例えば、図２に示す画像を表示し、ユーザから入力を受付ける。図２は、画像形成装置１００による画像形成を行う場合に、画像形成に係る各種設定をユーザから受付ける画面の一例である。図２の画面では、ユーザから、画像形成モード、テクスチャの有無、用紙種別、及び用紙坪量の設定を受付ける。画像形成モードは、画像形成装置１００の画像形成時の動作モードを表す。本実施形態に係る画像形成装置１００は、画像形成モードとして、「４色モード」（第１の画像形成モード）、「５色モード」（第１の画像形成モード）、及び「追い刷りモード」（第２の画像形成モード）を備える。画像形成モードとして、例えば「４色モード」が選択された場合、画像形成装置１００は、イエロー（Ｙ）、マゼンタ（Ｍ）、シアン（Ｃ）、及びブラック（Ｋ）のカラートナーを用いて画像形成を行う。また、「５色モード」が選択された場合、画像形成装置１００は、カラートナー及びクリアトナー（ＣＴ）を用いて画像形成を行う。また、「追い刷りモード」が選択された場合、画像形成装置１００は、カラートナー、又はカラートナーとクリアトナーとを定着させた記録材（用紙）上に、クリアトナーを用いて画像を形成する。
【００２９】
「テクスチャの有無」は、画像形成モードにおいて“追い刷りモード”が選択された場合に、選択可能となる。テクスチャとは、用紙上に形成されるクリアトナーの層（クリアトナー層）において、その厚みを変化させることで、用紙上に作り出される立体感のある画像をいう。クリアトナー層を形成する領域の形状を変更することによって、様々な図形がクリアトナーを用いて用紙上に形成される。本実施形態では、「テクスチャの有無」において、例えば、「パターン１」を選択した場合、用紙上に星型の図形がクリアトナーよって、立体的に形成される。また、例えば、「パターン２」を選択した場合、布地のような立体感のある画像がクリアトナーによって形成される。
【００３０】
「用紙種別」は、画像を形成する用紙がコート紙であるか、非コート紙であるかの選択を受付ける。また、「用紙坪量」は、画像を形成する用紙の坪量に関する入力を受付ける。図２では、坪量が５５〜１０５ｇ／ｍ２の用紙を「普通紙１」とし、坪量が１０６〜１６０ｇ／ｍ２の用紙を「普通紙２」としている。また、本実施形態では、坪量が１６１ｇ／ｍ２を越える用紙を厚紙と規定し、坪量が１６１〜２００ｇ／ｍ２の用紙を「厚紙１」、坪量が２０１〜３００ｇ／ｍ２の用紙を「厚紙２」としている。
【００３１】
操作・表示部１０は、ユーザから受付けた画像形成モード、テクスチャの有無、用紙種別及び用紙坪量を制御装置２０に出力する。
【００３２】
制御装置２０は、操作・表示部１０から、画像形成モード、テクスチャの有無、用紙種別及び用紙坪量を受付ける。制御装置２０は、画像形成モード、テクスチャの有無、用紙種別及び用紙坪量に基づいて、画像出力装置３０を制御し、画像が形成された用紙を出力させる。ここで、制御装置２０のハードウェア構成について説明する。図３は、制御装置２０のハードウェア構成の一例を示す図である。
【００３３】
制御装置２０は、入出力部２０１、ＲＯＭ（Read Only Memory）２０２、ＣＰＵ２０３、及びＲＡＭ（Random Access Memory）２０４を備える。
【００３４】
入出力部２０１は、操作・表示部１０及び画像出力装置３０とデータの送受信を行う。ＲＯＭ２０２は、定着温度及びクリアトナーの現像量を制御するプログラム（詳細は後述する）等を格納する。ＣＰＵ２０３は、ＲＯＭ２０２に格納されたプログラムを読み込んで実行する。ＲＡＭ２０４は、プログラムを実行する際に使用される一時的なデータを保存する。なお、制御装置２０が備える機能の詳細については、後述する。
【００３５】
図１に戻り説明を続ける。画像出力装置３０は、制御装置２０の制御に基づいて、電子写真方式によりイエロー、マゼンタ、シアン、ブラック、及びクリアトナーを用いて用紙上に画像を形成し、出力する。
【００３６】
画像出力装置３０は、図中矢印方向に回転する感光体３４Ｋ〜３４ＣＴを備える。感光体３４Ｋ〜３４ＣＴの各々の周囲には、感光体３４Ｋ〜３４ＣＴの回転方向に沿って、感光体３４Ｋ〜３４ＣＴを帯電する帯電装置３２Ｋ〜３２ＣＴ、感光体上に静電潜像を書き込む露光装置３１Ｋ〜３１ＣＴ、感光体３４Ｋ〜３４ＣＴの表面上に形成された潜像をトナーにより現像してトナー像を形成する現像装置３３Ｋ〜３３ＣＴ、感光体３４Ｋ〜３４ＣＴに形成されたトナー像を中間転写体３９に転写する１次転写ロール３５Ｋ〜３５ＣＴ、感光体３４Ｋ〜３４ＣＴ上の残留トナーを除去するドラムクリーナ３６Ｋ〜３６ＣＴが配設されている。なお、現像装置３３Ｋ〜３３ＣＴは、それぞれ、該当する色成分のトナーを収容している。
【００３７】
また、画像出力装置３０は、中間転写体３９上のトナー像を給紙部３０２から排出される用紙に一括転写（二次転写）する二次転写部３７と、二次転写された画像を用紙に定着させる定着装置３００とを備える。定着装置３００は、加熱ロール３０１を備え、この加熱ロール３０１により用紙上のトナー像は加熱され、用紙に定着される。
【００３８】
次に、制御装置２０が備える機能の一例について、図１を参照して説明する。制御装置２０は、画像形成モード取得部２１１、用紙種別取得部２１２、用紙坪量取得部２１３、１次転写ロール制御部２１４、クリアトナー現像量制御部２１６、及び定着温度制御部２１５を備える。画像形成モード取得部２１１、用紙種別取得部２１２、用紙坪量取得部２１３、１次転写ロール制御部２１４、クリアトナー現像量制御部２１６、及び定着温度制御部２１５は、ＲＯＭ２０２に格納されたプログラムのＣＰＵ２０３による演算によって実現される。
【００３９】
画像形成モード取得部２１１は、ユーザ設定受付部１１から、画像形成モード、及びテクスチャの有無を取得する。画像形成モード取得部２１１は、取得した画像形成モードを、１次転写ロール制御部２１４、定着温度制御部２１５およびクリアトナー現像量制御部２１６に通知する。また、画像形成モード取得部２１１は、クリアトナー現像量制御部２１６にテクスチャの有無を通知する。
【００４０】
用紙種別取得部２１２は、ユーザ設定受付部１１から、用紙種別を取得する。用紙種別取得部２１２は、取得した用紙種別を、定着温度制御部２１５及びクリアトナー現像量制御部２１６に通知する。
【００４１】
用紙坪量取得部２１３は、ユーザ設定受付部１１から、用紙坪量を取得する。用紙坪量取得部２１３は、画像が形成される用紙が普通紙であるのか、厚紙であるのかを定着温度制御部２１５に通知する。具体的には、例えば、図２に示した画面において、「用紙坪量」として“普通紙１”または“普通紙２”が選択された場合には、用紙坪量取得部２１３は、画像が形成される用紙は普通紙であると定着温度制御部２１５に通知する。なお、用紙坪量取得部２１３は、例えば、「用紙坪量」として“普通紙１”、“普通紙２”、および“厚紙１”が選択された場合に、画像が形成される用紙は普通紙であると定着温度制御部２１５に通知してもよい。なお、ユーザ設定受付部１１が、例えば、ユーザから用紙の坪量に関する情報を受付け、用紙坪量取得部２１３は、坪量がしきい値以上であれば用紙が厚紙であると判定し、定着温度制御部２１５に通知してもよい。また、用紙が厚紙か否かを判定する方法は本実施形態に限られない。例えば、用紙坪量取得部２１３は、用紙の坪量に基づいて、用紙が厚紙か否かを決定してもよい。この場合、用紙の坪量は、ユーザ設定受付部１１がユーザから用紙坪量の入力を受付けることによって取得してもよいし、あるいは、給紙部３０２等に用紙坪量を計測する機構を設け、該機構から取得してもよい。
【００４２】
１次転写ロール制御部２１４は、画像形成モード取得部２１１から画像形成モードを受付ける。１次転写ロール制御部２１４は、画像形成モードに基づいて、１次転写ロール３５Ｋ〜３５ＣＴを制御し、中間転写体３９と、感光体３４Ｋ〜３４ＣＴとの接触を制御する。例えば、画像形成モードが「４色モード」である場合、画像形成にクリアトナーは使用されないため、１次転写ロール制御部２１４は、１次転写ロール３５ＣＴをリトラクトし、感光体３４ＣＴと中間転写体３９とが接触しないようにする。画像形成モードが「追い刷りモード」である場合、画像形成にカラートナーは使用されないため、１次転写ロール制御部２１４は、１次転写ロール３５Ｋ、３５Ｃ、３５Ｍ及び３５Ｙをリトラクトし、感光体３４Ｋ、３４Ｃ、３４Ｍ及び３４Ｙと、中間転写体３９とが接触しないようにする。
【００４３】
定着温度制御部２１５は、用紙種別取得部２１２から、用紙種別を受付ける。定着温度制御部２１５は、画像形成モード取得部２１１から画像形成モードを受付ける。定着温度制御部２１５は、用紙坪量取得部２１３から、用紙が厚紙か否かの判定（用紙坪量）を受付ける。定着温度制御部２１５は、画像形成モード、用紙種別、及び用紙坪量に基づいて、定着装置３００の定着温度を制御する。
【００４４】
ここで、画像形成モードが「追い刷りモード」の場合における定着装置３００の定着温度と光沢度との関係について説明する。図４は、カラートナーを定着させた用紙（図４（Ａ））の一部に、追い刷りモードでクリアトナーを塗布し、定着させた様子を表している。図４（Ｂ）において、クリアトナーを塗布していない領域Ａは、追い刷りモードでクリアトナーを定着させる場合に定着器を複数回通過することになる。これにより、クリアトナーを塗布していない領域Ａの光沢度は、追い刷りを行わない場合と比較して高くなる。一方、クリアトナーを塗布した領域Ｂは、画像表面の平滑度が下がることにより、領域Ａと比較して光沢度が低くなる。この結果、クリアトナーを追い刷りすることによって、クリアトナーを塗布した領域Ｂと、クリアトナーを塗布していない領域Ａとの光沢差が大きくなる。
【００４５】
図５は、用紙種別及び用紙坪量ごとに、追い刷りモードにおいてクリアトナーの定着温度を変えた場合の光沢度の変化を示すグラフである。図５（Ａ）は、用紙が普通紙かつコート紙である場合のグラフを示している。縦軸は、光沢度を表し、横軸は追い刷りモードでクリアトナーを追い刷りした回数を表している。図５（Ａ）のグラフにおいて、実線で示された有色トナーのみが定着されている領域（図４（Ｂ）における領域Ａ）の光沢度は、追い刷り回数が増えるにしたがって大きくなる。一方、点線、または一点鎖線で表したクリアトナーを塗布した領域（図４（Ｂ）の領域Ｂ）の光沢度は、追い刷り回数が増えるにしたがって低下する。なお、図中の点線は、追い刷りモード時の定着温度を１７０℃とした場合のクリアトナーを塗布した領域の光沢度を示している。また、図中の一点鎖線は、追い刷りモード時の定着温度を１６０℃とした場合のクリアトナーを塗布した領域の光沢度を示している。用紙が普通紙かつコート紙である場合、有色トナーのみが定着された領域と、クリアトナーを塗布した領域との光沢度差は、追い刷り時の定着温度が１７０℃の場合には約４５度以上となっている。ここで、定着温度１７０℃は、画像形成モードが「４色モード」または「５色モード」の場合の定着温度と等しい。また、図５（Ａ）のグラフから、追い刷り時の定着温度を１６０℃にすると、有色トナーのみが定着された領域と、クリアトナーを塗布した領域との光沢度差はさらに拡大する。
【００４６】
図５（Ｂ）は、用紙が厚紙かつコート紙の場合のグラフを示している。用紙が厚紙かつコート紙の場合、「４色モード」または「５色モード」の定着温度は１８５℃である。なお、図中の実線は、有色トナーのみが定着されている領域の光沢度を示す。また、点線は、追い刷りモード時の定着温度を１８５℃とした場合のクリアトナーを塗布した領域の光沢度を示す。また、一点鎖線は、追い刷りモード時の定着温度を１７０℃とした場合のクリアトナーを塗布した領域の光沢度を示す。用紙が厚紙かつコート紙の場合、追い刷り時の定着温度を、「４色モード」と同じ１８５℃（とすると、追い刷りを１回行っただけでは、実線で示す有色トナーのみが定着された領域と、点線で示すクリアトナーを塗布した領域との光沢度差がほとんどない。また、追い刷りを５回行っても、光沢度差は約２０％程度である。しかし、追い刷り時の定着温度を、「４色モード」の定着温度よりも低い温度（例えば、１７０℃）とすると、追い刷りを１回行った場合の光沢度差は、約４５％となる。また、３回以上追い刷りを行った場合、光沢度差は約６０％となる。
【００４７】
図５（Ｃ）は、用紙が普通紙かつ非コート紙の場合のグラフを示している。用紙が普通紙かつ非コート紙の場合、「４色モード」または「５色モード」の定着温度は１５０℃である。なお、図中の実線は、有色トナーのみが定着されている領域の光沢度を示す。また、点線は、追い刷りモード時の定着温度を１５０℃とした場合のクリアトナーを塗布した領域の光沢度を示す。また、一点鎖線は、追い刷りモード時の定着温度を１４０℃とした場合のクリアトナーを塗布した領域の光沢度を示す。また、図中破線は、追い刷りモード時の定着温度を１３０℃とした場合のクリアトナーを塗布した領域の光沢度を示す。非コート紙では、用紙の凹凸に沿ってトナー画像が形成されるため、クリアトナーを塗布していない領域と、クリアトナーを塗布した領域との光沢度差が小さくなる傾向がある。したがって、追い刷り時の定着温度を、「４色モード」の定着温度（１５０℃）とした場合、１回の追い刷りでは光沢度差が約１５％程度となる。また、追い刷りを５回行っても、光沢度差は、約２０％程度である。しかし、追い刷り時の定着温度を、「４色モード」の定着温度よりも低い温度（例えば、１４０℃）とした場合、追い刷りを１回行った場合の光沢度差は約２５％となり、追い刷りを５回行った場合の光沢度差は約４０％となる。また、定着温度をさらに低い温度（例えば、１３０℃）とした場合、追い刷りを１回行った場合の光沢度差は約３５％となる。
【００４８】
図５（Ｄ）は、用紙が厚紙かつ非コート紙の場合のグラフを示している。用紙が厚紙かつ非コート紙の場合、「４色モード」または「５色モード」の定着温度は１７０℃である。なお、図中の実線は、有色トナーのみが定着されている領域の光沢度を示す。また、点線は、追い刷りモード時の定着温度を１７０℃とした場合のクリアトナーを塗布した領域の光沢度を示す。また、一点鎖線は、追い刷りモード時の定着温度を１５０℃とした場合のクリアトナーを塗布した領域の光沢度を示す。追い刷り時の定着温度を「４色モード」の定着温度（１７０℃）とした場合、追い刷りを１回行った場合の光沢度差はほとんどなく、追い刷りを５回行った場合の光沢度差は約１０％となる。一方、追い刷り時の定着温度を「４色モード」の定着温度よりも低い温度（例えば、１５０℃）とした場合、追い刷りを１回行った場合の光沢度差は約２５％となり、追い刷りを５回行った場合の光沢度差は約３０％となる。
【００４９】
上述したように、追い刷り時の定着温度によって、クリアトナーを塗布した領域と、クリアトナーを塗布していない領域との光沢差は変化する。そこで、定着温度制御部２１５は、画像形成モード、用紙種別、および用紙坪量に基づいて、定着装置３００の定着温度を制御する。具体的には、定着温度制御部２１５は、図６（Ａ）に示すように、画像形成モードが「４色モード」で、用紙種別が「コート紙」で、用紙が「普通紙」の場合、定着温度が１７０℃となるよう定着装置３００を制御する。定着温度制御部２１５は、画像形成モードが「追い刷りモード」で、用紙種別が「コート紙」で、用紙が「普通紙」の場合、定着温度が「４色モード」の定着温度（１７０℃）よりも低い温度（１６０℃）となるように定着装置３００を制御する。
【００５０】
また、定着温度制御部２１５は、画像形成モードが「４色モード」で、用紙種別が「コート紙」で、用紙が「厚紙」の場合、定着温度が１８５℃となるよう定着装置３００を制御する。定着温度制御部２１５は、画像形成モードが「追い刷りモード」で、用紙種別が「コート紙」で、用紙が「普通紙」の場合、定着温度が「４色モード」の定着温度（１８５℃）よりも低い温度（１７０℃）となるように定着装置３００を制御する。
【００５１】
また、定着温度制御部２１５は、画像形成モードが「４色モード」で、用紙種別が「非コート紙」で、用紙が「普通紙」の場合、定着温度が１５０℃となるよう定着装置３００を制御する。定着温度制御部２１５は、画像形成モードが「追い刷りモード」で、用紙種別が「非コート紙」で、用紙が「普通紙」の場合、定着温度が「４色モード」の定着温度（１５０℃）よりも低い温度（１３０℃）となるように定着装置３００を制御する。
【００５２】
また、定着温度制御部２１５は、画像形成モードが「４色モード」で、用紙種別が「非コート紙」で、用紙が「厚紙」の場合、定着温度が１７０℃となるよう定着装置３００を制御する。定着温度制御部２１５は、画像形成モードが「追い刷りモード」で、用紙種別が「非コート紙」で、用紙が「厚紙」の場合、定着温度が「４色モード」の定着温度（１７０℃）よりも低い温度（１５０℃）となるよう定着装置３００を制御する。
【００５３】
クリアトナー現像量制御部２１６は、用紙種別取得部２１２から、用紙の種別（コート紙／非コート紙）を受付ける。また、クリアトナー現像量制御部２１６は、画像形成モード取得部２１１から、画像形成モード及びテクスチャの有無を受付ける。画像形成モードが「追い刷りモード」の場合、クリアトナー現像量制御部２１６は、用紙種別及びテクスチャの有無に基づいて、クリアトナーの現像量（以後、クリアトナー現像量と記載）を制御する。本実施形態では、クリアトナー現像量制御部２１６は、露光装置３１ＣＴの露光量を制御することによって、クリアトナー現像量を制御するものとする。なお、クリアトナー現像量制御部２１６は、例えば、帯電装置３２ＣＴの帯電量を制御することによってクリアトナー現像量を制御してもよい。あるいは、クリアトナー現像量制御部２１６は、現像装置３３ＣＴの現像バイアスを制御することによってクリアトナー現像量を制御してもよい。
【００５４】
クリアトナー現像量制御部２１６は、例えば、図６（Ｂ）の関係に基づいて、クリアトナーの現像量を決定する。ここで、例えば、画像形成モードが「追い刷りモード」で、用紙種別が「コート紙」で、テクスチャが「無」の場合に、画像形成に使用されるクリアトナー現像量が“ｘ”であるとする。クリアトナー現像量制御部２１６は、この“ｘ”を基準として、用紙種別及びテクスチャの有無に基づいてクリアトナー現像量を変更する。クリアトナー現像量制御部２１６は、用紙種別が「非コート紙」でテクスチャが「無」の場合には、クリアトナー現像量を、用紙種別が「コート紙」でテクスチャが「無」の場合のクリアトナー現像量“ｘ”よりも多い“ｙ”にする。なお、上述した“ｘ”および“ｙ”の値は、予め決められているものとする。用紙種別が「コート紙」でテクスチャが「有」の場合、クリアトナー現像量制御部２１６は、クリアトナーの現像量を、テクスチャが「無」の場合のクリアトナー現像量“ｘ”よりも増加させる。クリアトナー現像量制御部２１６は、テクスチャが「有」の場合にクリアトナー現像量を、例えば、テクスチャが「無」の場合のクリアトナー現像量“ｘ”の１．５倍（すなわち、１．５ｘ）にする。用紙種別が「非コート紙」でテクスチャが「有」の場合、クリアトナー現像量制御部２１６は、クリアトナー現像量を、用紙種別が「非コート紙」でテクスチャが「無」の場合のクリアトナーの現像量“ｙ”よりも増加させる。クリアトナー現像量制御部２１６は、テクスチャが「有」の場合にクリアトナー現像量を、例えば、テクスチャが「無」の場合のクリアトナー現像量“ｙ”の１．５倍（すなわち、１．５ｙ）にする。クリアトナー層の厚みをしきい値以上にし、クリアトナーを塗布した領域とクリアトナーを塗布しない領域との厚み差を形成することによってテクスチャは用紙上に形成される。そこで、テクスチャが「有」の場合には、クリアトナー現像量を、テクスチャが「無」の場合のクリアトナー現像量よりも増加させると、１回の追い刷りによって形成されるクリアトナー層の厚みが厚くなる。これにより、クリアトナー層の厚みをしきい値以上とするためにクリアトナーを追い刷りする回数が減少し、画像形成装置１００の生産性が向上する。
【００５５】
次に、画像形成装置１００が実行する処理の一例について説明する。図７及び図８は、画像形成装置１００が実行する処理の一例を示すフローチャートである。
【００５６】
１次転写ロール制御部２１４は、画像形成モードが「追い刷りモード」か否か判定する（ステップＳ１１）。画像形成モードが「追い刷りモード」の場合（ステップＳ１１／ＹＥＳ）、１次転写ロール制御部２１４は、１次転写ロール３５Ｋ〜３５Ｙをリトラクトする（ステップＳ１２）。次に、クリアトナー現像量制御部２１６は、用紙種別が「コート紙」か否か判定する（ステップＳ１３）。用紙種別が「コート紙」の場合（ステップＳ１３／ＹＥＳ）、クリアトナー現像量制御部２１６は、テクスチャの有無を判定する（ステップＳ１５）。
【００５７】
テクスチャが「無」の場合（ステップＳ１５／ＮＯ）、クリアトナー現像量制御部２１６は、クリアトナーの現像量を、「コート紙」に対するクリアトナーの現像量として予め定められた量“ｘ”とする（ステップＳ１９）。テクスチャが「有」の場合（ステップＳ１５／ＹＥＳ）、クリアトナー現像量制御部２１６は、クリアトナーの現像量を、テクスチャが「無」の場合の現像量（ｘ）の１．５倍（１．５ｘ）にする（ステップＳ１７）。
【００５８】
ステップＳ１７またはステップＳ１９の終了後、定着温度制御部２１５は、用紙が「厚紙」であるか否か判定する（ステップＳ２１）。用紙が「厚紙」の場合（ステップＳ２１／ＹＥＳ）、定着温度制御部２１５は、追い刷り時の定着温度を、画像形成モードが「４色モード」、かつ、用紙が「厚紙」の場合の定着温度よりも低い温度に決定する（ステップ２３）。用紙が「厚紙」でない場合（ステップＳ２１／ＮＯ）、定着温度制御部２１５は、追い刷り時の定着温度を、画像形成モードが「４色モード」、かつ、記録材が「普通紙」の場合の定着温度よりも低い温度に決定する（ステップＳ２５）。画像出力装置３０は、クリアトナー現像量制御部２１６が決定したクリアトナー現像量、及び定着温度制御部２１５が決定した定着温度でクリアトナーを用いた画像形成を行い（ステップＳ２７）、処理を終了する。
【００５９】
用紙種別が「非コート紙」の場合（ステップＳ１３／ＮＯ）、クリアトナー現像量制御部２１６は、テクスチャの有無を判定する（ステップＳ２９）。テクスチャが「無」の場合（ステップＳ２９／ＮＯ）、クリアトナー現像量制御部２１６は、クリアトナー現像量を、「非コート紙」に対するクリアトナー現像量として予め定められた量“ｙ”とする（ステップＳ３１）。テクスチャが「有」の場合（ステップＳ２９／ＹＥＳ）、クリアトナー現像量制御部２１６は、クリアトナー現像量を、テクスチャが「無」の場合のクリアトナー現像量（ｙ）の１．５倍（１．５ｙ）にする（ステップＳ３１）。
【００６０】
次に、定着温度制御部２１５は、用紙が「厚紙」か否か判定する（ステップＳ３５）。用紙が「厚紙」の場合（ステップＳ３５／ＹＥＳ）、定着温度制御部２１５は、追い刷り時の定着温度を、画像形成モードが「４色モード」、かつ、用紙が「厚紙」の場合の定着温度よりも低い温度に決定する（ステップ３７）。用紙が「厚紙」でない場合（ステップＳ３５／ＮＯ）、定着温度制御部２１５は、追い刷り時の定着温度を、画像形成モードが「４色モード」、かつ、用紙が「普通紙」の場合の定着温度よりも低い温度に決定する（ステップＳ３９）。画像出力装置３０は、クリアトナー現像量制御部２１６が決定したクリアトナー現像量、及び定着温度制御部２１５が決定した定着温度でクリアトナーを用いた画像形成を行い（ステップＳ２７）、処理を終了する。
【００６１】
画像形成モードが追い刷りモードではない場合（ステップＳ１１／ＮＯ）、図８のＡに進み、１次転写ロール制御部２１４は、画像形成モードが「４色モード」か否か判定する（ステップＳ４１）。画像形成モードが「４色モード」の場合（ステップＳ４１／ＹＥＳ）、１次転写ロール制御部２１４は、１次転写ロール３５ＣＴをリトラクトする（ステップＳ４３）。そして、画像形成装置１００は、カラートナーのみを用いた画像形成を行い（ステップＳ４５）、処理を終了する。カラートナーを用いた画像形成の方法は、従来の方法と同様であるため、説明を省略する。
【００６２】
画像形成モードが「４色モード」ではない場合（ステップＳ４１／ＮＯ）、画像形成装置１００は、カラートナーとクリアトナーとを用いた画像形成を行い（ステップＳ４７）、処理を終了する。カラートナー及びクリアトナーを用いた画像形成の方法は、従来の方法と同様であるため、説明を省略する。
【００６３】
上述の実施形態によれば、定着温度制御部２１５は、画像形成モードが「追い刷りモード」の場合には、追い刷り時の定着温度が、「４色モード」又は「５色モードの」の定着温度よりも低くなるように、定着温度を制御する。これにより、追い刷り時の定着温度を「４色モード」又は「５色モードの」の定着温度としてクリアトナーの追い刷りを行うよりも、クリアトナーを塗布した領域とクリアトナーを塗布しない領域との光沢度差が大きい画像が形成される。
【００６４】
また、クリアトナー現像量制御部２１６は、用紙上に形成を要求されたクリアトナー層の厚みがしきい値以上の場合（テクスチャを用紙上に形成する場合）、クリアトナー層の厚みがしきい値未満の場合（テクスチャを形成しない場合）のクリアトナー現像量よりも、クリアトナー現像量を増加させる。これにより、クリアトナーを追い刷りする回数が減少し、画像形成装置１００の画像形成に係る生産性が向上する。
【００６５】
上述した実施の形態は、本発明の実施形態の一部である。但し、これに限定されるものではなく、本発明の要旨を逸脱しない範囲内において種々変形実施可能である。
【００６６】
例えば、上述の実施形態では、図１に示すように、クリアトナー像を形成するユニットを１つ備えた画像形成装置１００について説明した。しかし、画像形成装置１００は、図９に示すように、クリアトナー像を形成するユニットを２つ備えていてもよい。この場合、クリアトナー現像量制御部２１６は、露光装置３１ＣＴ１及び露光装置３１ＣＴ２の露光量を制御する。例えば、用紙上にテクスチャを形成する場合は、テクスチャを形成しない場合のクリアトナー現像量の３倍のクリアトナー現像量が必要であるとする。この場合、クリアトナー現像量制御部２１６が、感光体３４ＣＴ１及び３４ＣＴ２に現像されるクリアトナーの現像量を、それぞれ、テクスチャが「無」の場合のクリアトナー現像量の１．５倍とすることで、１回の画像形成動作でテクスチャ画像が用紙上に形成される。
【００６７】
なお、上述の実施形態では、テクスチャが「有」の場合のクリアトナー現像量を、テクスチャが「無」の場合のクリアトナー現像量の１．５倍とした。しかしながら、テクスチャが「有」の場合のクリアトナー現像量は、テクスチャが「無」の場合のクリアトナー現像量よりも多ければよく、本実施形態に限定されるものではない。例えば、テクスチャが「有」の場合のクリアトナー現像量を、テクスチャが「無」の場合のクリアトナー現像量の１．２倍、あるいは、２倍としてもよい。
【００６８】
また、上述の実施形態では、定着温度制御部２１５は、用紙種別及び用紙坪量に基づいて、「追い刷りモード」が選択された場合の定着温度を制御していた。しかしながら、定着温度制御部２１５は、例えば、ユーザが希望する光沢度差をユーザ設定受付部１１が受付け、受付けた光度差に基づいて、「追い刷りモード」が選択された場合の定着温度を制御してもよい。例えば、図５（Ｃ）において、追い刷りモード時の定着温度を段階的に変化させることによって、光沢度差も段階的に変化する。したがって、追い刷りモード時の定着温度を制御することによって、光沢度差を制御し、ユーザが希望する光沢度差が実現される。例えば、用紙が普通紙かつ非コート紙である場合に、クリアトナーが塗布された領域と、クリアトナーが塗布されていない領域との光沢度差がそれほど必要ないとする（例えば、１０度以下でも問題ないとする）。この場合、定着温度制御部２１５は、追い刷り時の定着温度を、「４色モード」の定着温度（１５０℃）としてもよい。また、用紙が普通紙かつ非コート紙である場合に、１０％以上２５％未満の光沢度差が必要とされているとする。この場合、定着温度制御部２１５は、追い刷り時の定着温度を１４０℃とする。また、用紙が普通紙かつ非コート紙である場合に、２５％以上の光沢度差が必要とされているとする。この場合、定着温度制御部２１５は、追い刷り時の定着温度を１３０℃とする。以上のように、定着温度制御部２１５は、追い刷りモード時の定着温度を変化させることで、光沢度差が制御される。
【００６９】
また、上述の実施形態において、カラートナーの融点と、クリアトナーの融点とは同一であることが好ましい。カラートナーの融点と、クリアトナーの融点とが同一の場合、「５色モード」で画像を形成すると、光沢度が均一な画像が形成される。
【００７０】
なお、上記の制御装置２０が有する機能は、ＣＰＵ、ＲＯＭ、ＲＡＭ等を備えるコンピュータによって実現することができる。その場合、制御装置２０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。
【００７１】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００７２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【００７３】
１０…操作・表示部
２０…制御装置
３０…画像出力装置
２１１…画像形成モード取得部
２１５…定着温度制御部
２１６…クリアトナー現像量制御部
【図１】
2012037618.tif 000003
【図２】
2012037618.tif 000004
【図３】
2012037618.tif 000005
【図４】
2012037618.tif 000006
【図５】
2012037618.tif 000007
【図６】
2012037618.tif 000008
【図７】
2012037618.tif 000009
【図８】
2012037618.tif 000010
【図９】
2012037618.tif 000011